(57)【要約】【課題】  汚損や破損が少なく、装飾効果が高く美麗なコンパクトミラーを提供する。【解決手段】  鏡板３０を収容するフレーム２２と、フレーム２２を収容する透明のケース体２０と、ケース体２０を収容する蓋体１０とを備え、ケース体２０に収容される側の面である、フレーム２２の外面と、フレーム２２を収容する側の面である、ケース体２０の内面との間に、光を反射する作用を有する板状又はシート状の反射体２３を備え、ケース体２０の内面に対向する面である、ケース体２０の外面２１がダイヤカットされている。【選択図】  図３
0003124099.tif 000002
【実用新案登録請求の範囲】
【請求項１】
鏡板を収容するフレームと当該フレームを収容する透明のケース体とを備えるコンパクトミラーであって、
前記ケース体に収容される側の面である、前記フレームの外面と、前記フレームを収容する側の面である、前記ケース体の内面との間に、光を反射する作用を有する板状又はシート状の反射体を備え、
前記ケース体の内面に対向する面である、前記ケース体の外面がダイヤカットされている
ことを特徴とするコンパクトミラー。
【請求項２】
前記ケース体の外面は、中央部が高く上下両側縁に向かって徐々に低くなる緩やかな弧状面に形成されている
ことを特徴とする請求項１に記載のコンパクトミラー。
【請求項３】
前記コンパクトミラーは、さらに、前記ケース体を収容する蓋体を備える
ことを特徴とする請求項１又は２に記載のコンパクトミラー。
【請求項４】
前記蓋体は、
中央部が周辺部より厚く形成された凸レンズ作用をなす透視部を備える
ことを特徴とする請求項３に記載のコンパクトミラー。
【請求項５】
前記フレームの外周面と前記ケース体の周壁とが超音波溶接で溶着されている
ことを特徴とする請求項１〜４のいずれか１項に記載のコンパクトミラー。
【考案の詳細な説明】
【技術分野】
【０００１】
本考案は、鞄やポケットに入れて携帯可能な手鏡又は机や台の上に置いて卓上鏡としても使用できるコンパクトミラーに関する。
【背景技術】
【０００２】
鞄やポケットに入れて携帯できるコンパクトミラーは、身だしなみを整えたり、化粧直しやコンタクトレンズを着脱したりする時などに使用される。
一般的なコンパクトミラーとしては、鏡板を収容するための凹部を有するプラスチック製のケース体のみからなるものや、鏡板を取り付けたプラスチック製のケース体と、そのケース体を収容するための凹部を有するプラスチック製の蓋体とが一端部のヒンジ部で枢着された二つ折りタイプのものが知られている。そして、従来のコンパクトミラーは、蓋体やケース体の裏面はプラスチック成形されたままの板状体であり、何ら装飾性が付与されていないため雅趣に乏しく外観が優美でなかった（例えば、特許文献１参照。）。
そのような課題を解決するコンパクトミラーとして、例えば、内側面に鏡板が接着されたプラスチック製のケース体と、その鏡板をカバーするプラスチック製の蓋体とが一端部でヒンジ結合されると共に、蓋体の外面およびケース体の外面に合成樹脂地、布地、紙などの表装材を貼着して意匠的効果を高めて外観を美麗にすると共に、衝撃吸収することにより鏡板の破損を防ぐものが提案されている（例えば、特許文献２参照。）。
【特許文献１】実開平３−７２８１４号公報
【特許文献２】登録実用新案第３０６８５９９号公報
【考案の開示】
【考案が解決しようとする課題】
【０００３】
しかしながら、上記の表装材を貼着したコンパクトミラーは、蓋体やケース体の外面に表装材があるため、鞄やポケットに収納して持ち歩くと表装材が他物と擦れ合って汚損又は破損して、短期間のうちに外観が不良になってしまうという問題がある。
また、コンパクトミラーは常に携帯されて使用される商品特性があることからすれば、その装飾効果は消費者を飽きさせることがないようにすることが望まれている。
そこで、本考案は、上記のような問題点に鑑みなされたものであり、汚損や破損が少なく、装飾効果が高く美麗なコンパクトミラーを提供することを目的とする。
【課題を解決するための手段】
【０００４】
上記目的を達成するために、本考案に係るコンパクトミラーは、鏡板を収容するフレームと当該フレームを収容する透明のケース体とを備えるコンパクトミラーであって、前記ケース体に収容される側の面である、前記フレームの外面と、前記フレームを収容する側の面である、前記ケース体の内面との間に、光を反射する作用を有する板状又はシート状の反射体を備え、前記ケース体の内面に対向する面である、前記ケース体の外面がダイヤカットされていることを特徴とする。
これによって、反射体が透明のケース体から入った光を反射し、その反射光がダイヤカットされているケース体の外面で乱反射して優美な輝きを創出するので、装飾効果の高い美麗なコンパクトミラーを実現することができる。また、反射体は、フレームの外面とケース体の内面との間に介在しているので、鞄やポケットに収納して持ち歩いても他物と接触して汚損や破損することもない。
ここで、前記ケース体の外面は、中央部が高く上下両側縁に向かって徐々に低くなる緩やかな弧状面に形成されているとするのが好ましい。これによって、さらに乱反射が促されるので、より優美な輝きを創出することが可能となる。
また、前記コンパクトミラーは、さらに、前記ケース体を収容する蓋体を備えるとしてもよく、これによって、二つ折りタイプのコンパクトミラーでも同様の効果が奏されることとなる。
ここで、前記蓋体は、中央部が周辺部より厚く形成された凸レンズ作用をなす透視部を備えるとしてもよい。このような構成とすることで、蓋体を閉じると対向面に位置することとなる鏡板と透視部との組み合わせによって拡大された像を映し出す拡大鏡を実現することもでき、装飾効果だけでなく使用用途の幅を広げることも可能となる。
さらに、前記フレームの外周面と前記ケース体の周壁とが超音波溶接で溶着されているとするのが好ましい。これによって、接着剤による接合のような跡形が付くことがなく美しい仕上がりとなるだけでなく、経年使用しても溶着部分が容易に外れず、優れた耐久性を有するコンパクトミラーを実現することが可能となる。
【考案の効果】
【０００５】
以上説明したように、本考案に係るコンパクトミラーによれば、透明のケース体から入った光が反射体によって反射され、ダイヤカット加工が施されたケース体の外面によって反射光が乱反射するので、優美な輝きを創出し、消費者を飽きさせることのない優れた装飾効果を発揮することが可能となる。
また、ダイヤカット加工が施されたケース体の外面と相まって装飾効果を発揮する反射体は、フレームの外面とケース体の内面とによって挟持されて被覆保護されているので、鞄やポケットに入れて携帯しても他物との接触で汚損や破損することがない。
さらに、フレームの外周面と透明の蓋体の周壁とが超音波溶接で一体的に溶着されるので、接着剤による接合のような跡形が付くことがなく美しい仕上がりとなる。これに加えて、透明の蓋体であっても溶着部分が目立たず、かつ、経年使用しても溶着部分が容易に外れることがないので、耐久性にも優れている。
【考案を実施するための最良の形態】
【０００６】
以下、本考案の実施の形態について、図面を参照しながら説明する。
（実施の形態１）
図１〜５はそれぞれ、本考案の実施の形態１に係る、二つ折りタイプのコンパクトミラーの正面図、側面図、図１におけるＡ−Ａ線の断面図である。また、図４は、本実施の形態１に係るコンパクトミラーを展開した図であり、図５は、図４におけるＢ−Ｂ線の断面図である。
図１〜５に示されるように、本実施の形態１に係るコンパクトミラー１は、最も大きな外径を有する蓋体１０と、その蓋体１０に収容される大きさの外径からなるケース体２０と、ケース体２０に収容される大きさの外径を有するフレーム２２と、フレーム２２に収容される大きさの外径を有する鏡板３０とを備えている。なお、蓋体１０、ケース体２０及びフレーム２２は、いずれも正面形状が円形のプラスチック板製とされ、特に蓋体１０及びケース体２０は透明プラスチック板製となっている。
また、蓋体１０には後述するヒンジ部１１を構成するための欠除部が形成されており、その欠除部の左右の周壁端面に軸孔が穿設されている。さらに、ケース体２０の蓋体１０との接合箇所には、蓋体１０の欠除部に嵌る幅を持つ突出部が形成されており、この突出部を幅方向に貫通する軸孔が穿設されている。そして、蓋体１０の周壁端面に設けられた軸孔と、ケース体２０の突出部に設けられた軸孔とを合致させて軸を挿通することによってヒンジ部１１が構成され、ケース体２０が回動可能に蓋体１０と接合されている。
蓋体１０は、ケース体２０を収容して蓋となる部材であり、円形の平坦な底面板の周辺に、上方に向かってケース体２０の厚さに相当する高さの周壁が形成されている。そして、この周壁と底面板とにより透明プラスチック板製のケース体２０を収容する凹部が形成されることになる。
また、蓋体１０の上部には、ケース体２０の回動時における下端部を係止して、ケース体２０が一定角度（例えば、３００度）以上回動することのないようにするための開口部が設けられており、この開口部が上記の欠除部から下方に向かって末広がり状に形成されている。
指掛け溝１２は、欠除部に対向する周壁に形成されている半円形の窪みであり、ケース体２０を回動させる際のツマミ部分となる。
ケース体２０は、鏡板３０が嵌め込まれることによりコンパクトミラー１の本体となる部材であり、蓋体１０の凹部に嵌る外径を有し、外面２１は、中央部が高く上下両側縁に向かって徐々に低くなる緩やかな弧状面に形成されていると共に、ダイヤカットされている。なお、ケース体２０の表面のダイヤカットは、金型により成形するとしてもよいし、弧状面をカッティングすることにより成形するとしてもよい。
また、外面２１に対向するケース体２０の内面は水平とされ、さらに、その内面の周辺から下方に向かってフレーム２２の厚さに相当する高さの周壁が設けられることにより、フレーム２２を収容するための凹部が形成されている。
フレーム２２は、鏡板３０を保持してケース体２０に嵌め込ませるための部材であり、ケース体２０の凹部に嵌る外径を有する一定厚さの円板状に形成されており、その内面側に凹部を設けて円形の鏡板３０が接着されている。そして、このフレーム２２は、ケース体２０内面の凹部に嵌合された後、フレーム２２の外周面２４とケース体２０の周壁の内面とを超音波溶接で溶着することにより、ケース体２０と一体化されている。
ここで、フレーム２２のケース体２０に嵌め込まれる側（フレーム２２の外面側）には円形の反射体２３が重合されている。
反射体２３は、光を反射する作用を有する板状ないしシート状の部材であり、例えば金属シート等である。この反射体２３は、フレーム２２の外面側に箔押しされることによって、フレーム２２と一体化されている。
そして、この反射体２３とケース体２０の外面２１に施されているダイヤカット加工とが相まって、コンパクトミラー１の装飾効果を高いものとすることができる。すなわち、透明プラスチック板製のケース体２０から光が入り、反射体２３が光を反射すると、ダイヤカットの外面２１が反射光を乱反射させるので、コンパクトミラー１は優美な輝きを創出し、優れた装飾効果を発揮することができる。
このように構成されたコンパクトミラー１は、指掛け溝１２に指を入れてケース体１０を上方に向けて起立させ、ケース体２０を蓋体１０に対して少なくとも９０度以上傾斜させることにより使用される。また、図４に示すように、ケース体２０を蓋体１０と一直線上になるよう１８０度回動させると、蓋体１０を手で持つことにより手鏡として使用することもできる。さらに、ケース体２０を蓋体１０に対して約３００度回動させると、蓋体１０を底面とする卓上鏡として使用することもできる。このとき、ケース体２０の下端部が蓋体１０の係止開口部に係合して受け止められ、回動が阻止されるので起立姿勢が安定すると共に、自然な状態で鏡板３０に顔を映すことができるようになる。
そして、使用されていない状態であっても、上述したいずれの使用状態であっても、フレーム２２の外面側に貼着されている反射体２３が透明のケース体２０から入ってくる光を反射し、ケース体２０の外面２１がこれを乱反射させるので、綺麗な輝きを発し、見栄えの良いお洒落なコンパクトミラーを実現することが可能となる。
（実施の形態２）
次に、本考案の実施の形態２に係るコンパクトミラーについて説明する。
図６は、本実施の形態２に係る、二つ折りタイプのコンパクトミラーの正面図であり、図７は、その側面図である。また、図８は、本実施の形態２に係るコンパクトミラーを展開した図である。
本実施の形態２に係るコンパクトミラー２は、上記実施の形態１に係るコンパクトミラー１と、構成において略共通しているが、全体が方形になっているので蓋体１０ａやケース体２０ａ等も方形となり、これに合わせてヒンジ部１１ａの構造が上記実施の形態１と異なっている。また、蓋体１０ａが円形透視部１３を備えている点で上記実施の形態１と異なる。以下、実施の形態１と異なる点を中心に説明する。
蓋体１０ａは、両側部にケース体２０ａの厚さに相当する高さの側壁面を立設して、ケース体２０ａを収容する凹部が形成されており、その側壁面の端縁を突出させた軸受け部を幅方向に貫通する軸孔が設けられている。さらに、ケース体２０ａの上部（蓋体１０ａと接合する側）両端にも幅方向に貫通する軸孔が設けられており、蓋体１０ａの軸受け部に設けられた軸孔と、ケース体２０ａの上部両端に設けられた軸孔とを合致させて軸を挿通することによってヒンジ部１１ａが構成され、ケース体２０ａが回動可能に蓋体１０ａと接合されている。
円形透視部１３は、その中央部が周辺部より厚く周辺に向かって徐々に低くなる４００アールの弧状面を有して凸レンズの作用をなす透明な円形の部材である。この円形透視部１３は、蓋体１０ａの底面板の中心部に設けられている円形の凹所に位置し、蓋体１０ａと一体成形されており、蓋体１０ａが鏡面仕上げされることでクリアな透明になっている。
このように、本実施の形態２に係るコンパクトミラーによれば、上記実施の形態１の効果に加えて、蓋体１０ａの底面板の内面または蓋体１０ａの適宜位置の内面に、中央部が周辺部より厚く形成された凸レンズ作用をなすクリアな円形透視部１３が設けられているので、蓋体１０ａを閉じると対向面にある鏡板３０ａとの組み合わせによって円形透視部１３が拡大された像を映し出す拡大鏡となって、例えば、顔の目の部分や口の部分などを拡大して映し出すことが可能となる。さらに、中央部が周辺部より厚く形成されて凸レンズ作用をなす円形透視部１３は、蓋体１０ａの成形と同時にできることから、製造が容易になると共に安価で大量生産が可能になり、ガラス製の鏡板のように破損することがないという利点もある。
なお、ここでは円形透視部１３の形状を円形としたが、透視部の形状は方形などその他の形状であってもよいことはいうまでもない。
（実施の形態３）
続いて、本考案の実施の形態３に係るコンパクトミラーについて説明する。
図９は、本実施の形態３に係る、ケース体のみからなるタイプのコンパクトミラーの正面図であり、図１０は背面図である。また、図１１は側面図であり、図１２は図９におけるＣ−Ｃ線の断面図である。
本実施の形態３に係るコンパクトミラー３は、上記実施の形態１に係るコンパクトミラー１と、蓋体１０を備えておらず、蓋体を備えていないことに伴ってヒンジ部も有していない点で異なり、その他の構成は上記実施の形態１と略共通している。
なお、ここでは、ケース体４０の表面４１にダイヤカット加工が施されているため、ケース体４０の外周が多角形となっているコンパクトミラーを図示しているが、表面４１のダイヤカット加工の端部をコンパクトミラーの外周よりも小さくして、コンパクトミラーの外周を円形にすることも可能である。
また、本実施の形態３に係るコンパクトミラーの変形例として、図１３〜図１６に示すような角型のコンパクトミラー４としてもよい。
さらに、本実施の形態３に係るコンパクトミラーの別の変形例として、図１７〜図２０に示すように、把持部５５を設けて手鏡５とすることもできる。なお、この把持部５５は、上記した角型の変形例に取り付けるとしてもよいし、ケース体５０ａの外周壁に嵌合又は螺合するようにして着脱可能な構成としてもよい。
以上、本考案に係るコンパクトミラーについて、各実施の形態及び変形例に基づいて説明したが本考案はこれらの実施例に限定されるものではなく、本考案の目的を達成でき、かつ考案の要旨を逸脱しない範囲内で種々設計変更が可能であり、それらも全て本考案の範囲内に包含されるものである。
例えば、上記実施の形態１及び２では、蓋体は透明であるとしているが、必ずしも透明である必要はない。但し、実施の形態２における透視部は透明であることを要する。
また、上記各実施の形態において、反射体はフレームの外面側に箔押しによってフレームと一体化されているとしたが、フレームとの一体化は例えばアルミ蒸着等によるとしてもよい。さらに、反射体は、ケース体の内面とフレームの外面との間に重ね合わされて挟持されていればよく、フレームと一体化されていなくてもよい。
【産業上の利用可能性】
【０００７】
本考案はコンパクトミラーだけでなく、比較的大きな鏡の場合でも、且つ円形に限らず、楕円形、四角形、六角形などにでも利用できるものである。
【図面の簡単な説明】
【０００８】
【図１】本考案の実施の形態１に係るコンパクトミラーの折り畳んだ状態における正面図である。
【図２】本考案の実施の形態１に係るコンパクトミラーの折り畳んだ状態における側面図である。
【図３】図１のＡ−Ａ線断面図である。
【図４】ケース体を起立させて手鏡とした状態の正面図である。
【図５】図４のＢ−Ｂ線断面図である。
【図６】本考案の実施の形態２に係るコンパクトミラーの折り畳んだ状態における正面図である。
【図７】本考案の実施の形態２に係るコンパクトミラーの折り畳んだ状態における側面図である。
【図８】本考案の実施の形態２に係るコンパクトミラーのケース体を起立させて手鏡とした状態の正面図である。
【図９】本考案の実施の形態３に係るコンパクトミラーの正面図である。
【図１０】本考案の実施の形態３に係るコンパクトミラーの背面図である。
【図１１】本考案の実施の形態３に係るコンパクトミラーの側面図である。
【図１２】図９のＣ−Ｃ線断面図である。
【図１３】本考案の実施の形態３の変形例１に係るコンパクトミラーの正面図である。
【図１４】本考案の実施の形態３の変形例１に係るコンパクトミラーの背面図である。
【図１５】本考案の実施の形態３の変形例１に係るコンパクトミラーの側面図である。
【図１６】図１６のＤ−Ｄ線断面図である。
【図１７】本考案の実施の形態３の変形例２に係る手鏡の正面図である。
【図１８】本考案の実施の形態３の変形例２に係る手鏡の背面図である。
【図１９】本考案の実施の形態３の変形例２に係る手鏡の側面図である。
【図２０】図１７のＥ−Ｅ線断面図である。
【符号の説明】
【０００９】
１、２、３、４      コンパクトミラー
５      手鏡
１０、１０ａ      蓋体
１１、１１ａ      ヒンジ部
１２      指掛け溝
１３      円形透視部
２０、２０ａ、４０、４０ａ、５０      ケース体
２１、２１ａ、４１、４１ａ、５１      外面
２２、２２ａ、４２、４２ａ、５２      フレーム
２３、２３ａ、４３、４３ａ、５３      反射体
２４、２４ａ、４４、４４ａ、５４      外周面
３０、３０ａ      鏡板
５５    把持部
【図１】
0003124099.tif 000003
【図２】
0003124099.tif 000004
【図３】
0003124099.tif 000005
【図４】
0003124099.tif 000006
【図５】
0003124099.tif 000007
【図６】
0003124099.tif 000008
【図７】
0003124099.tif 000009
【図８】
0003124099.tif 000010
【図９】
0003124099.tif 000011
【図１０】
0003124099.tif 000012
【図１１】
0003124099.tif 000013
【図１２】
0003124099.tif 000014
【図１３】
0003124099.tif 000015
【図１４】
0003124099.tif 000016
【図１５】
0003124099.tif 000017
【図１６】
0003124099.tif 000018
【図１７】
0003124099.tif 000019
【図１８】
0003124099.tif 000020
【図１９】
0003124099.tif 000021
【図２０】
0003124099.tif 000022